(57)【要約】      （修正有）【課題】補強板を軽量化し、材料費を安くしたフレキシブルフラット形ケーブルとその組立装置を提供する。【解決手段】合成樹脂製被覆カバー６内に互いに平行する多数の導線７Ａからなる導線群７が配置されると共に、該導線群７の両端部７ａ，７ｂが被覆カバー６の端縁から外方に突出され、該被覆カバー６の各端部６ａ，６ｂの片面から各導線群端部７ａ，７ｂの片面にかけて一対の合成樹脂製補強板が固着されたフレキシブルフラット形ケーブルＦＦＣであって、前記両補強板のうち、その一方が、中央に抜け孔１０を貫設したロ字状補強板８Ｂにより形成されると共に、その他方が、前記抜け孔１０から抜き取った中央補強板８Ａにより形成されている。【選択図】図１
0003117072.tif 000002
【実用新案登録請求の範囲】
【請求項１】
合成樹脂製被覆カバー内に互いに平行する多数の導線からなる導線群が配置されると共
に、該導線群の両端部が被覆カバーの端縁から外方に突出され、横幅を被覆カバーの横幅
とほぼ同一に設定し縦幅を導線群端部の突出長さよりも大きく設定した２枚の矩形状合成
樹脂製補強板がそれぞれ前記被覆カバーの各端部の片面から各導線群端部の片面にかけて
固着されており、その各補強板付き導線群端部をコネクタ内に挿入するようにしたフレキ
シブルフラット形ケーブルであって、前記２枚の矩形状合成樹脂製補強板に替えて、中央
に抜け孔を貫設したロ字状補強板と、前記抜け孔から抜き取った中央補強板とが用いられ
、前記中央補強板が一方の導線群端部の先端近傍から被覆カバーの端部にかけて固着され
、前記ロ字状補強板の前縁部が他方の導線群端部の先端に固着されると共に、その後縁部
が被覆カバーの端部に固着され、その前後両縁部を一体連結する左右両側縁部が他方の導
線群端部の両側縁から被覆カバーの端部にかけて固着され、前記中央補強板及びロ字状補
強板の表面に凹凸状滑り止め部が形成されていることを特徴とするフレキシブルフラット
形ケーブル。
【請求項２】
合成樹脂製被覆カバー内に互いに平行する多数の導線からなる導線群が配置されると共
に、該導線群の両端部が被覆カバーの端縁から外方に突出され、横幅を被覆カバーの横幅
とほぼ同一に設定し縦幅を導線群端部の突出長さよりも大きく設定した２枚の矩形状合成
樹脂製補強板がそれぞれ前記被覆カバーの各端部の片面から各導線群端部の片面にかけて
固着されており、その各補強板付き導線群端部をコネクタ内に挿入するようにしたフレキ
シブルフラット形ケーブルであって、前記２枚の矩形状合成樹脂製補強板に替えて、中央
に抜け孔を貫設したロ字状補強板と、前記抜け孔から抜き取った中央補強板とが用いられ
、前記中央補強板が一方の導線群端部の先端近傍から被覆カバーの端部にかけて固着され
、前記ロ字状補強板の前縁部が他方の導線群端部の先端に固着されると共に、その後縁部
が被覆カバーの端部に固着され、その前後両縁部を一体連結する左右両側縁部が他方の導
線群端部の両側縁から被覆カバーの端部にかけて固着され、前記中央補強板の外周縁及び
ロ字状補強板の抜け孔の内周縁がジグザグ状に形成されると共に、その中央補強板及びロ
字状補強板の表面に多数の凹部を所定間隔をおいて形成してその各凹部間に格子状補強枠
を残すようにしたことを特徴とするフレキシブルフラット形ケーブル。
【請求項３】
合成樹脂製被覆カバー内に互いに平行する多数の導線からなる導線群が配置されると共
に、該導線群の両端部が被覆カバーの端縁から外方に突出され、該被覆カバーの各端部の
片面から各導線群端部の片面にかけて一対の合成樹脂製補強板が固着されており、その各
補強板付き導線群端部をコネクタ内に挿入するようにしたフレキシブルフラット形ケーブ
ルであって、前記両補強板のうち、その一方が、中央に抜け孔を貫設したロ字状補強板に
より形成されると共に、その他方が、前記抜け孔から抜き取った中央補強板により形成さ
れていることを特徴とするフレキシブルフラット形ケーブル。
【請求項４】
前記中央補強板が一方の導線群端部の先端近傍から被覆カバーの端部にかけて固着され
、前記ロ字状補強板の前縁部が他方の導線群端部の先端に固着されると共に、その後縁部
が被覆カバーの端部に固着され、その前後両縁部を一体連結する左右両側縁部が他方の導
線群端部の両側縁から被覆カバーの端部にかけて固着されていることを特徴とする請求項
３に記載のフレキシブルフラット形ケーブル。
【請求項５】
前記中央補強板の外周縁及びロ字状補強板の抜け孔の内周縁がジグザグ状に形成されて
いることを特徴とする請求項３または４に記載のフレキシブルフラット形ケーブル。
【請求項６】
前記中央補強板及びロ字状補強板の表面に凹凸状滑り止め部が形成されていることを特
徴とする請求項３〜５のいずれかに記載のフレキシブルフラット形ケーブル。
【請求項７】
前記中央補強板及びロ字状補強板の表面に多数の凹部を所定間隔をおいて形成してその
各凹部間に格子状補強枠を残すようにしたことを特徴とする請求項３〜５のいずれかに記
載のフレキシブルフラット形ケーブル。
【請求項８】
合成樹脂製被覆カバー内に互いに平行する多数の導線からなる導線群が配置されると共
に、該導線群の両端部が被覆カバーの端縁から外方に突出され、該被覆カバーの各端部の
片面から各導線群端部の片面にかけて一対の合成樹脂製補強板が固着されており、その各
補強板付き導線群端部をコネクタ内に挿入するようにしたフレキシブルフラット形ケーブ
ルの組立装置であって、補強テープを一方の導線群端部から被覆カバーの端部かけて対向
配置し、外周に刃部を有する第１スタンプを補強テープに押しつけて抜け孔を貫設すると
共に、その第１スタンプにより抜け孔から抜き取った中央補強板を一方の導線群端部の先
端近傍から被覆カバーの端部にかけて押しつけて固着する第１工程と、前記抜け孔を貫設
した補強テープを他方の導線群端部から被覆カバーの端部にかけて対向配置し、第１スタ
ンプよりも大形で外周に刃部を有する第２スタンプを抜け孔が囲まれるようにして補強テ
ープに押しつけ、その押しつけにより抜き取ったロ字状補強板の前縁部を他方の導線群端
部の先端に押しつけて固着すると共に、その後縁部を被覆カバーの端部に押しつけて固着
し、その前後両縁部を一体連結する左右両側縁部を他方の導線群端部の両側縁から被覆カ
バーの端部にかけて押しつけて固着する第２工程を有することを特徴とするフレキシブル
フラット形ケーブルの組立装置。
【考案の詳細な説明】
【技術分野】
【０００１】
本考案は、例えばディスク装置（ＤＶＤプレーヤやＤＶＤレコーダ）などに使用される
フレキシブルフラット形ケーブルとその組立装置に関し、特に、材料費を安くしたもので
ある。
【背景技術】
【０００２】
ディスク装置の一例として図８に示ものがある。これは、筐体１内のディスクプレーー
ヤ本体２の側方にメイン基板３が配置されると共に、該メイン基板３の下方にＡＶ基板４
が配置され、該両基板３，４がコネクタ５及びフレキシブルフラット形ケーブルＦＦＣを
介して接続されており、アンローディング信号に基づいてディスクプレーーヤ本体２のト
レイ２ａを前進ａさせ、該トレイ２ａ上にディスクＤを載置した後、ローディング信号に
基づいてトレイ２ａを後進ｂさせ、ディスクＤに対して記録や再生または消去を行う。
【０００３】
従来、前記ケーブルＦＦＣの技術として特許文献１などに記載したものがあり、その一
例を図９に基づいて説明すると、これは、例えば横幅Ｈが２９ｍｍで厚さＤが０．３５ｍ
ｍの合成樹脂製被覆カバー６内に互いに平行する多数の導線７Ａからなる導線群７が配置
されると共に、該導線群７の両端部７ａ，７ｂが被覆カバー６の端縁から所定の突出長さ
ｓ（例えば４ｍｍ）で外方に突出され、２枚の合成樹脂製補強板８がそれぞれ被覆カバー
６の各端部６ａ，６ｂの片面から各導線群端部７ａ，７ｂの片面にかけて接着または融着
により固着されており、その各補強板８付き導線群端部７ａ，７ｂをコネクタ５内に挿入
する（図８参照）。
【０００４】
前記各補強板８は、その横幅ｈを被覆カバー６の横幅Ｈとほぼ同一の例えば２９ｍｍで
厚さｄを０．３５ｍｍとし、その縦幅ｋを導線群端部７ａ，７ｂの突出長さｓよりも大き
い例えば１０ｍｍに設定することにより、矩形板状に形成されている。
【特許文献１】実開平３−３３９８２号公報
【考案の開示】
【考案が解決しようとする課題】
【０００５】
上記従来の構成では、各導線群端部７ａ，７ｂをコネクタ５に挿入する際に曲がらない
ようにするため、該各導線群端部７ａ，７ｂに２枚の補強板８をそれぞれ固着しており、
その各補強板８が比較的大きくて厚いため、材料費が高くつく。
【０００６】
本考案は、上記従来の欠点に鑑み、材料費を安くしたフレキシブルフラット形ケーブル
とその組立装置を提供することを目的としている。
【課題を解決するための手段】
【０００７】
上記目的を達成するため、請求項１に記載の考案は、合成樹脂製被覆カバー内に互いに
平行する多数の導線からなる導線群が配置されると共に、該導線群の両端部が被覆カバー
の端縁から外方に突出され、横幅を被覆カバーの横幅とほぼ同一に設定し縦幅を導線群端
部の突出長さよりも大きく設定した２枚の矩形状合成樹脂製補強板がそれぞれ前記被覆カ
バーの各端部の片面から各導線群端部の片面にかけて固着されており、その各補強板付き
導線群端部をコネクタ内に挿入するようにしたフレキシブルフラット形ケーブルであって
、前記２枚の矩形状合成樹脂製補強板に替えて、中央に抜け孔を貫設したロ字状補強板と
、前記抜け孔から抜き取った中央補強板とが用いられ、前記中央補強板が一方の導線群端
部の先端近傍から被覆カバーの端部にかけて固着され、前記ロ字状補強板の前縁部が他方
の導線群端部の先端に固着されると共に、その後縁部が被覆カバーの端部に固着され、そ
の前後両縁部を一体連結する左右両側縁部が他方の導線群端部の両側縁から被覆カバーの
端部にかけて固着され、前記中央補強板及びロ字状補強板の表面に凹凸状滑り止め部が形
成されていることを特徴としている。
【０００８】
請求項２に記載の考案は、合成樹脂製被覆カバー内に互いに平行する多数の導線からな
る導線群が配置されると共に、該導線群の両端部が被覆カバーの端縁から外方に突出され
、横幅を被覆カバーの横幅とほぼ同一に設定し縦幅を導線群端部の突出長さよりも大きく
設定した２枚の矩形状合成樹脂製補強板がそれぞれ前記被覆カバーの各端部の片面から各
導線群端部の片面にかけて固着されており、その各補強板付き導線群端部をコネクタ内に
挿入するようにしたフレキシブルフラット形ケーブルであって、前記２枚の矩形状合成樹
脂製補強板に替えて、中央に抜け孔を貫設したロ字状補強板と、前記抜け孔から抜き取っ
た中央補強板とが用いられ、前記中央補強板が一方の導線群端部の先端近傍から被覆カバ
ーの端部にかけて固着され、前記ロ字状補強板の前縁部が他方の導線群端部の先端に固着
されると共に、その後縁部が被覆カバーの端部に固着され、その前後両縁部を一体連結す
る左右両側縁部が他方の導線群端部の両側縁から被覆カバーの端部にかけて固着され、前
記中央補強板の外周縁及びロ字状補強板の抜け孔の内周縁がジグザグ状に形成されると共
に、その中央補強板及びロ字状補強板の表面に多数の凹部を所定間隔をおいて形成してそ
の各凹部間に格子状補強枠を残すようにしたことを特徴としている。
【０００９】
請求項３に記載の考案は、合成樹脂製被覆カバー内に互いに平行する多数の導線からな
る導線群が配置されると共に、該導線群の両端部が被覆カバーの端縁から外方に突出され
、該被覆カバーの各端部の片面から各導線群端部の片面にかけて一対の合成樹脂製補強板
が固着されており、その各補強板付き導線群端部をコネクタ内に挿入するようにしたフレ
キシブルフラット形ケーブルであって、前記両補強板のうち、その一方が、中央に抜け孔
を貫設したロ字状補強板により形成されると共に、その他方が、前記抜け孔から抜き取っ
た中央補強板により形成されていることを特徴としている。
【００１０】
請求項４に記載の考案は、請求項３に記載の考案において、前記中央補強板が一方の導
線群端部の先端近傍から被覆カバーの端部にかけて固着され、前記ロ字状補強板の前縁部
が他方の導線群端部の先端に固着されると共に、その後縁部が被覆カバーの端部に固着さ
れ、その前後両縁部を一体連結する左右両側縁部が他方の導線群端部の両側縁から被覆カ
バーの端部にかけて固着されていることを特徴としている。
【００１１】
請求項５に記載の考案は、請求項３または４に記載の考案において、前記中央補強板の
外周縁及びロ字状補強板の抜け孔の内周縁がジグザグ状に形成されていることを特徴とし
ている。
【００１２】
請求項６記載の考案は、請求項３〜５のいずれかに記載の考案において、前記中央補強
板及びロ字状補強板の表面に凹凸状滑り止め部が形成されていることを特徴としている。
【００１３】
請求項７に記載の考案は、請求項３〜５のいずれかに記載の考案において、前記中央補
強板及びロ字状補強板の表面に多数の凹部を所定間隔をおいて形成してその各凹部間に格
子状補強枠を残すようにしたことを特徴としている。
【００１４】
請求項８に記載の考案は、合成樹脂製被覆カバー内に互いに平行する多数の導線からな
る導線群が配置されると共に、該導線群の両端部が被覆カバーの端縁から外方に突出され
、該被覆カバーの各端部の片面から各導線群端部の片面にかけて一対の合成樹脂製補強板
が固着されており、その各補強板付き導線群端部をコネクタ内に挿入するようにしたフレ
キシブルフラット形ケーブルの組立装置であって、補強テープを一方の導線群端部から被
覆カバーの端部かけて対向配置し、外周に刃部を有する第１スタンプを補強テープに押し
つけて抜け孔を貫設すると共に、その第１スタンプにより抜け孔から抜き取った中央補強
板を一方の導線群端部の先端近傍から被覆カバーの端部にかけて押しつけて固着する第１
工程と、前記抜け孔を貫設した補強テープを他方の導線群端部から被覆カバーの端部にか
けて対向配置し、第１スタンプよりも大形で外周に刃部を有する第２スタンプを抜け孔が
囲まれるようにして補強テープに押しつけ、その押しつけにより抜き取ったロ字状補強板
の前縁部を他方の導線群端部の先端に押しつけて固着すると共に、その後縁部を被覆カバ
ーの端部に押しつけて固着し、その前後両縁部を一体連結する左右両側縁部を他方の導線
群端部の両側縁から被覆カバーの端部にかけて押しつけて固着する第２工程を有すること
を特徴としている。
【考案の効果】
【００１５】
請求項１に記載の考案は、第１及び３の実施の形態〔図１〜図４、図７（ａ）参照〕に
対応するものであって、これによれば、中央に抜け孔を貫設したロ字状補強板と、前記抜
け孔から抜き取った中央補強板とで各導線群端部を補強するようになっており、その中央
補強板とロ字状補強板とが従来の１枚の補強板に相当するから、材料費を大幅に安くする
ことができる。
【００１６】
また、一方の導線群端部がその先端近傍から根元まで中央補強板により補強され、他方
の導線群端部もその先端から根元までロ字状補強板により補強されているから、該各導線
群端部をコネクタ内に曲がらないように真っ直ぐに挿入して確実に導通状態にすることが
できる。
【００１７】
更に、中央補強板及びロ字状補強板の表面に形成した凹凸状滑り止め部を指部で把持し
て各導線群端部をコネクタ内に挿入することにより、その指部が滑らないようにして挿入
作業を一層確実に行うことができる。
【００１８】
請求項２に記載の考案は、第２及び４の実施の形態〔図５、図６、図７（ｂ）参照〕に
対応するものであって、これによりば、請求項１に記載の考案とほぼ同じ効果を得ること
ができ、特に、中央補強板のジグザグ状外周縁及びロ字状補強板のジグザグ状内周縁を指
部で把持して各導線群端部をコネクタ内に挿入することにより、その指部が滑らないよう
にして挿入作業を確実に行うことができる。
【００１９】
また、中央補強板及びロ字状補強板の表面に多数の凹部を所定間隔をおいて形成してそ
の肉厚を薄くしているので、材料費を一層安くすることができ、しかも、各凹部間に格子
状補強枠を残しているので、強度が低下せず、各導線群端部を確実に補強することができ
ると共に、その格子状補強枠により滑り止め機能を一層確実に発揮させることができる。
【００２０】
請求項３に記載の考案は基本形態に対応するものであって、これによれば、中央に抜け
孔を貫設したロ字状補強板と、前記抜け孔から抜き取った中央補強板とで各導線群端部を
補強するようになっており、その中央補強板とロ字状補強板とが従来の１枚の補強板に相
当するから、材料費を大幅に安くすることができる。
【００２１】
請求項４に記載の考案によれば、一方の導線群端部がその先端近傍から根元まで中央補
強板により補強され、他方の導線群端部もその先端から根元までロ字状補強板により補強
されているから、該各導線群端部をコネクタ内に曲がらないように真っ直ぐに挿入して確
実に導通状態にすることができる。
【００２２】
請求項５に記載の考案によれば、中央補強板のジグザグ状外周縁及びロ字状補強板のジ
グザグ状内周縁を指部で把持して各導線群端部をコネクタ内に挿入することにより、その
指部が滑らないようにして挿入作業を確実に行うことができる。
【００２３】
請求項６に記載の考案によれば、中央補強板及びロ字状補強板の表面に形成した凹凸状
滑り止め部を指部で把持して各導線群端部をコネクタ内に挿入することにより、その指部
が滑らないようにして挿入作業を一層確実に行うことができる。
【００２４】
請求項７に記載の考案によれば、中央補強板及びロ字状補強板の表面に多数の凹部を所
定間隔をおいて形成してその肉厚を薄くしているので、材料費を一層安くすることができ
、しかも、各凹部間に格子状補強枠を残しているので、強度が低下せず、各導線群端部を
確実に補強することができると共に、その格子状補強枠により滑り止め機能を発揮させる
ことができる。
【００２５】
請求項８に記載の考案によれば、第１工程で、補強テープから中央補強板を抜き取って
一方の導線群端部に固着した後、第２工程で、中央補強板を抜き取った後の補強テープを
再使用してロ字状補強板を抜き取って他方の導線群端部に固着するようになっており、多
数のフレキシブルフラット形ケーブルを連続的に効率良く組み立てることができると共に
、１本の補強テープから中央補強板とロ字状補強板とを抜き取るようになっているから、
材料費を大幅に安くすることができる。
【考案を実施するための最良の形態】
【００２６】
図１及び図２は本考案の第１の実施の形態であるフレキシブルフラット形ケーブルＦＦ
Ｃを示すものであって、中央に抜け孔１０を貫設したロ字状補強板８Ｂと、前記抜け孔１
０から抜き取った中央補強板８Ａとが用いられ、その両補強板８Ａ，８Ｂが被覆カバー６
の各端部６ａ，６ｂの片面から各導線群端部７ａ，７ｂの片面にかけて固着されている。
上記以外の構成は図８及び図９に示す構成とほぼ同じであるので、同一部分に同一符号を
付してその説明を省略する。
【００２７】
前記中央補強板８Ａは、前記補強板８（図９参照）と同一材からなり、その横幅ｈ１が
導線群端部７ａ，７ｂの横幅Ｆから１本の導線７Ａの横幅ｆを引いた長さ（ｈ１＝Ｆ−ｆ
）とされ、その縦幅ｋ１が導線群端部７ａ，７ｂの突出長さｓよりも大きく設定されてお
り、その中央補強板８Ａが一方の導線群端部７ａのすべての導線７Ａの先端近傍から被覆
カバー６の端部６ａにかけて接着または融着により固着されている〔図１（ｂ）参照〕。
【００２８】
具体的寸法の一例を示すと、導線群端部７ａ，７ｂの横幅Ｆが２８ｍｍ、一本の導線７
Ａの横幅ｆが０．８ｍｍ、中央補強板８Ａの横幅ｈ１が２８−０．８＝２７．２ｍｍ、そ
の縦幅ｋ１が６ｍｍ、厚さｄが０．３５ｍｍである。
【００２９】
前記ロ字状補強板８Ｂは、その横幅ｈ２及び縦幅ｋ２が前記補強板８（図９参照）の横
幅ｈ及び縦幅ｋとほぼ同じであって、その前縁部８ａが他方の導線群端部７ｂの先端に固
着されると共に、その後縁部８ｂが被覆カバー６の端部６ｂに固着され、その前後両縁部
８ａ，８ｂを一体連結する左右両側縁部８ｃ，８ｄが他方の導線群端部７ｂの両側縁から
被覆カバー６の端部６ｂにかけて固着されている。
【００３０】
具体的寸法の一例を示すと、ロ字状補強板８Ｂの横幅ｈ２が２９ｍｍ、その縦幅ｋ２が
１０ｍｍである。
【００３１】
上記構成によれば、中央に抜け孔１０を貫設したロ字状補強板８Ｂと、前記抜け孔１０
から抜き取った中央補強板８Ａとで各導線群端部７ａ，７ｂを補強するようになっており
、その中央補強板８Ａとロ字状補強板８Ｂとが従来の１枚の補強板８（図９参照）に相当
するから、材料費を大幅に安くすることができる。
【００３２】
また、一方の導線群端部７ａがその先端近傍から根元まで中央補強板８Ａにより補強さ
れ、他方の導線群端部７ｂもその先端から根元までロ字状補強板８Ｂにより補強されてい
るから、該各導線群端部７ａ，７ｂをコネクタ５内に曲がらないように真っ直ぐに挿入し
て確実に導通状態にすることができる（図８参照）。
【００３３】
フレキシブルフラット形ケーブルＦＦＣの組立手順を説明すると、図３は第１工程を示
しており、中央補強板８Ａとほぼ同一外径の第１スタンプ１２が昇降可能に配置されると
共に、該第１スタンプ１２の外周に刃部１３が中央補強板８Ａの厚さｄ分だけ突出して設
けられている。また、図４は第２工程を示しており、ロ字状補強板８Ｂとほぼ同一外径の
第２スタンプ１４が昇降可能に配置されると共に、該第２スタンプ１４の外周に刃部１５
がロ字状補強板８Ｂの厚さｄ分だけ突出して設けられている。なお、各スタンプ１２，１
４及び各刃部１３，１５は、接着や融着または切断のために必要に応じてヒータ（図示せ
ず）で加熱される。
【００３４】
第１工程では、図３の（ａ）及び（ｂ）に示すように、補強テープＴをテーブル１７上
のケーブルＦＦＣの一方の導線群端部７ａから被覆カバー６の端部６ａかけて対向配置し
た後、図３（ｃ）に示すように、刃部１３付き第１スタンプ１２を補強テープＴに押しつ
けて抜け孔１０を貫設すると共に、その第１スタンプ１２により抜け孔１０から抜き取っ
た中央補強板８Ａを一方の導線群端部７ａの先端近傍から被覆カバー６の端部にかけて押
しつけて固着し、図３（ｄ）に示すように、第１スタンプ１２を上昇させる。
【００３５】
第２工程では、図４の（ａ）及び（ｂ）に示すように、抜け孔１０を貫設した補強テー
プＴを他方の導線群端部７ｂから被覆カバー６の端部６ｂにかけて対向配置した後、図４
（ｃ）に示すように、刃部１５付き第２スタンプ１４を抜け孔１０が囲まれるようにして
補強テープＴに押しつけ、その押しつけにより抜き取ったロ字状補強板８Ｂの前縁部８ａ
を他方の導線群端部７ｂの先端に押しつけて固着すると共に、その後縁部８ｂを被覆カバ
ー６の端部６ｂに押しつけて固着し、その前後両縁部８ａ，８ｂを一体連結する左右両側
縁部８ｃ，８ｄを他方の導線群端部７ｂの両側縁から被覆カバー６の端部６ｂにかけて押
しつけて固着し、図４（ｄ）に示すように、第２スタンプ１４を上昇させる。
【００３６】
上記構成によれば、第１工程で、補強テープＴから中央補強板８Ａを抜き取って一方の
導線群端部７ａに固着した後、第２工程で、中央補強板８Ａを抜き取った後の補強テープ
Ｔを再使用してロ字状補強板８Ｂを抜き取って他方の導線群端部７ｂに固着するようにな
っており、多数のフレキシブルフラット形ケーブルＦＦＣを連続的に効率良く組み立てる
ことができると共に、１本の補強テープＴから中央補強板８Ａとロ字状補強板８Ｂとを抜
き取るようになっているから、材料費を大幅に安くすることができる。
【００３７】
図５及び図６は本考案の第２の実施の形態であるフレキシブルフラット形ケーブルＦＦ
Ｃを示すものであって、中央補強板８Ａの外周縁２０及びロ字状補強板８Ｂの抜け孔１０
の内周縁２１がジグザグ状に形成されている。上記以外の構成は図１〜図４に示す構成と
ほぼ同じなので、同一部分に同一符号を付してその説明を省略する。
【００３８】
上記構成によれば、第１の実施の形態とほぼ同じ効果を得ることができ、特に、中央補
強板８Ａのジグザグ状外周縁２０及びロ字状補強板８Ｂのジグザグ状内周縁２１を指部で
把持して各導線群端部７ａ，７ｂをコネクタ５内に挿入することにより、その指部が滑ら
ないようにして挿入作業を確実に行うことができる。
【００３９】
第１、第２の実施の形態では、両補強板８Ａ，８Ｂの表面を平滑状に形成したが、これ
に限定されるわけではなく、図７（ａ）に示すように、その両補強板８Ａ，８Ｂの表面に
例えば多数の円形状の凹部及び凸部からなる凹凸状滑り止め部２３を形成してもよく、こ
れによれば、凹凸状滑り止め部２３を指部で把持して各導線群端部７ａ，７ｂをコネクタ
５内に挿入することにより、その指部が滑らないようにして挿入作業を一層確実に行うこ
とができる（第３の実施の形態）。
【００４０】
また、図７（ｂ）に示すように、両補強板８Ａ，８Ｂの表面に多数の凹部２４を所定間
隔をおいて形成してその各凹部２４間に格子状補強枠２５を残すようにしてもよく、これ
によれば、多数の凹部２４を所定間隔をおいて形成してその肉厚ｔ薄くしているので、材
料費を一層安くすることがができ、しかも、格子状補強枠２５を残しているので、強度が
低下せず、各導線群端部７ａ，７ｂを確実に補強することができると共に、その格子状補
強枠２５により滑り止め機能を一層確実に発揮させることができる。具体的寸法の一例を
示すと、両補強板８Ａ，８Ｂの元の厚さｄが０．３５ｍｍ、凹部２４を形成したことによ
る厚さｔが０．１８ｍｍである（第４の実施の形態）。
【産業上の利用可能性】
【００４１】
上記の第１〜第４の実施の形態では、ディスク装置（ＤＶＤプレーヤやＤＶＤレコーダ
）に用いられるフレキシブルフラット形ケーブルＦＦＣを例にあげて説明したが、これに
限定されるわけではなく、それ以外の各種電子機器に使用されるフレキシブルフラット形
ケーブルＦＦＣにも適用される。
【図面の簡単な説明】
【００４２】
【図１】（ａ）は本考案の第１の実施の形態であるフレキシブルフラット形ケーブルの斜視図、（ｂ）は同平面図、（ｃ）はＡ−Ａ矢視図である。
【図２】同補強板の分解斜視図である。
【図３】（ａ）は組立手順における第１工程の斜視図、（ｂ）は第１工程の前段を示す縦断面図、（ｃ）は第１工程の中段を示す縦断面図、（ｄ）は第１工程の後段を示す縦断面図である。
【図４】（ａ）は組立手順における第２工程の斜視図、（ｂ）は第２工程の前段を示す縦断面図、（ｃ）は第２工程の中段を示す縦断面図、（ｄ）は第２工程の後段を示す縦断面図である。
【図５】（ａ）は本考案の第２の実施の形態であるフレキシブルフラット形ケーブルの斜視図、（ｂ）は同平面図、（ｃ）はＢ−Ｂ矢視図である。
【図６】同補強板の分解斜視図である。
【図７】（ａ）は本考案の第３の実施の形態であるフレキシブルフラット形ケーブルの要部の斜視図、（ｂ）は本考案の第４の実施の形態であるフレキシブルフラット形ケーブルの要部の斜視図である。
【図８】（ａ）はディスク装置の斜視図、（ｂ）は同要部の側面図、（ｃ）は同要部の正面図である。
【図９】（ａ）は従来のフレキシブルフラット形ケーブルの斜視図、（ｂ）は同平面図、（ｃ）はＣ−Ｃ矢視図である。
【符号の説明】
【００４３】
６            被覆カバー
６ａ，６ｂ    被覆カバーの端部
７            導線群
７Ａ          導線
７ａ，７ｂ    導線群端部
８Ａ          中央補強板
８Ｂ          ロ字状補強板
８ａ          ロ字状補強板の前縁部
８ｂ          ロ字状補強板の後縁部
８ｃ，８ｄ    ロ字状補強板の左右両側縁部
１０          抜け孔
１２          第１スタンプ
１３          刃部
１４          第２スタンプ
１５          刃部
２０          中央補強板の外周縁
２１          抜け孔の内周縁
２３          凹凸状滑り止め部
２４          凹部
２５          格子状補強枠
ＦＦＣ        フレキシブルフラット形ケーブル
Ｔ            補強テープ
【図１】
0003117072.tif 000003
【図２】
0003117072.tif 000004
【図３】
0003117072.tif 000005
【図４】
0003117072.tif 000006
【図５】
0003117072.tif 000007
【図６】
0003117072.tif 000008
【図７】
0003117072.tif 000009
【図８】
0003117072.tif 000010
【図９】
0003117072.tif 000011